(57)【要約】【課題】  底板に凹部を設けたとしても、剛性の低下を抑制することができる引出、及びこれを用いたシステムキッチンを提供する。【解決手段】  本発明の引出１０は、前方に開口を有するキャビネット内に前後方向に出し入れ自在に収納されるものであり、後端部を前方側に切り欠いて形成された、前記キャビネット内の障害物を回避する凹部１３を有する底板１２と、底板１２の前端部に立設された前面板１１と、凹部１３左右両側の側縁部１３ａに沿って底板１２に立設された一対の凹部側方板１６と、凹部側方板１６と前面板１１の背面１１ａとを連結する連結手段と、を備えている。【選択図】      図２
2010148568.tif 000002
【特許請求の範囲】
【請求項１】
前方に開口を有するキャビネット内に前後方向に出し入れ自在に収納される引出であって、
後端部を前方側に切り欠いて形成された、前記キャビネット内の障害物を回避する凹部を有する底板と、
前記底板の前端部に立設された前面板と、
前記凹部左右両側の側縁部に沿って前記底板に立設された一対の凹部側方板と、
前記凹部側方板と前記前面板の背面とを連結する連結手段と、を備えていることを特徴とする引出。
【請求項２】
前記連結手段は、前記一対の凹部側方板それぞれを前記凹部前方側の前縁部よりも前方へ延ばすことで形成されその前端部が前記前面板の背面に連結された延長部により構成されている請求項１に記載の引出。
【請求項３】
前記連結手段は、前記底板に立設され、前記一対の凹部側方板を互いに繋ぐ第一連結板と、
前記底板に立設され、前記第一連結板と前記前面板の背面とを連結する第二連結板とによって構成されている請求項１に記載の引出。
【請求項４】
前記連結手段は、前記一対の凹部側方板及び前記前面板に固定され両者を連結する箱体によって構成されている請求項１に記載の引出。
【請求項５】
上面にシンクを有するキャビネットと、
前記キャビネットの内部に、その前方開口部から前後方向に出し入れ自在に収納された請求項１〜４のいずれか一項に記載の引出と、
を備えていることを特徴とするシステムキッチン。
【発明の詳細な説明】
【技術分野】
【０００１】
本発明は、キッチンキャビネット等に用いられる引出、及びこれを用いたシステムキッチンに関するものである。
【背景技術】
【０００２】
システムキッチン等に用いられるキャビネットには、前方に開口を有しその開口から当該キャビネット内に出し入れ自在に収納される引出を有するものがある。
このような引出は、例えば、上部にシンクを有するキャビネットにも適用される場合がある。上部にシンクを有するキャビネットの内部には、通常、排水トラップや生ゴミ等を粉砕するためのディスポーザ等が設置されている。このため、このようなキャビネットに適用される引出には、排水トラップやディスポーザといった障害物を避けるための凹部が当該引出の底板後端部を切り欠いて設けられている。前記引出は、この凹部によって、排水トラップやディスポーザといった障害物に接触するのを回避しつつキャビネット内に出し入れ自在とされていた（例えば、特許文献１参照）。
【０００３】
【特許文献１】特開２００４−１１３４８１号公報
【発明の開示】
【発明が解決しようとする課題】
【０００４】
しかし、上記底板に設けられる凹部は、当該底板を切り欠いて設けられるため、底板の剛性を低下させて、引出全体としての剛性を低下させてしまう場合がある。
上記引出は、通常、キャビネット左右内側面に設けられたスライドレール等によりその左右側面が支持されてキャビネット内に出し入れ自在とされている。さらにシンクを有するキャビネットは、左右幅が比較的長いため、収納される引出及びその底板もその左右幅が比較的長いものとなる。このため、上記のように剛性が低下すると、比較的重い収納物を載置したときに、底板を含む引出全体が、左右方向に大きく撓み、当該引出のスムーズな出し入れが阻害されたり、前記スライドレールから当該引出が脱落するといった問題が生じるおそれがあった。
【０００５】
本発明はこのような事情に鑑みてなされたものであり、底板に凹部を設けたとしても、剛性の低下を抑制することができる引出、及びこれを用いたシステムキッチンを提供することを目的とする。
【課題を解決するための手段】
【０００６】
上記目的を達成するための本発明は、前方に開口を有するキャビネット内に前後方向に出し入れ自在に収納される引出であって、後端部を前方側に切り欠いて形成された、前記キャビネット内の障害物を回避する凹部を有する底板と、前記底板の前端部に立設された前面板と、前記凹部左右両側の側縁部に沿って前記底板に立設された一対の凹部側方板と、前記凹部側方板と前記前面板の背面とを連結する連結手段と、を備えていることを特徴としている。
【０００７】
上記のように構成された引出によれば、凹部左右両側の側縁部に沿って立設された一対の凹部側方板と、前面板の背面とを連結する連結手段を備えているので、底板及びこの底板に立設された一対の凹部側方板がそれぞれ前面板に固定される。この前面板に固定された一対の凹部側方板によって、底板の前面板に対する上下方向への揺動が規制され、凹部が形成されることによる底板の剛性低下を防止することができる。この結果、引出全体としての剛性の低下を抑制することができる。
【０００８】
上記引出において、前記連結手段は、前記一対の凹部側方板それぞれを前記凹部前方側の前縁部よりも前方へ延ばすことで形成されその前端部が前記前面板の背面に連結された延長部により構成されていることが好ましい。
【０００９】
この場合、連結手段が、一対の凹部側方板を前面板まで延ばしその前端部を前面板の背面に連結した延長部によって構成されているので、連結手段を別部材として設ける必要がなく、簡易な構成で一対の凹部側方板と前面板とを連結することができる。
【００１０】
また、前記連結手段は、前記底板に立設され、前記一対の凹部側方板を互いに繋ぐ第一連結板と、前記底板に立設され、前記第一連結板と前記前面板の背面とを連結する第二連結板とによって構成されているものであってもよい。
この場合、連結手段を第一連結板と第二連結板とによって構成することで、一対の凹部側方板と前面板とを連結させる上での自由度を高めることができる。
【００１１】
また、前記連結手段は、前記一対の凹部側方板及び前記前面板に固定され両者を連結する箱体によって構成されていてもよい。
連結手段を箱体によって構成することで、底板及び一対の凹部側方板の前面板に対する上下方向への揺動がより強固に規制され、底板の剛性低下をより効果的に防止することができる。
【００１２】
また、本発明は、上面にシンクを有するキャビネットと、前記キャビネットの内部に、その前方開口部から前後方向に出し入れ自在に収納された上記引出と、を備えていることを特徴としている。
上記構成のシステムキッチンによれば、上述の引出を備えているので、引出全体としての剛性の低下が抑制されたものとすることができる。
【発明の効果】
【００１３】
以上のように、本発明の引出、及びシステムキッチンによれば、底板に凹部を設けたとしても、剛性の低下を抑制することができる。
【発明を実施するための最良の形態】
【００１４】
次に、本発明の好ましい実施形態について添付図面を参照しながら説明する。図１は、システムキッチンを示す斜視図である。
このシステムキッチン１は、上面にシンク２が設けられた第一キャビネット３と、上面に加熱器具４が設けられた第二キャビネット５と、両キャビネット３、５の間に設置された第三キャビネット６とを備えている。
【００１５】
第一キャビネット３は、前方に開口３ａを有しており、本発明の第一の実施形態に係る引出１０が、その前面板１１によって開口３ａを塞ぐように当該第一キャビネット３の内部に収納されている。第一キャビネット３の内部左右側面には、引出１０を開口３ａから前後方向移動自在に支持するスライドレール（図示せず）が設けられており、引出１０は、第一キャビネット３の内部に前後方向に出し入れ自在に収納されている。
また、第一キャビネット３の内部には、シンク２の排水口から下方に突設された排水トラップ２ａと、排水トラップ２ａの下端からさらに下方に延びる排水管２ｂとが配置されている。なお、図例では、排水トラップ２ａ及び排水管２ｂが配置された態様を示したが、例えば、シンク２の排水口下方には、生ゴミを粉砕するためのディスポーザ等が設置される場合もある。
引出１０は、上記排水トラップ２ａや排水管２ｂといった障害物に接触するのを回避しつつ第一キャビネット３内に出し入れ自在とするために、当該引出１０の底板１２の後端部１２ａを切り欠いた凹部１３が形成されている。
【００１６】
図２は、本実施形態の引出１０を示す斜視図である。
図２中、引出１０は、底板１２と、底板１２の前端部及び両側端部にそれぞれ立設された前面板１１及び側面板１４と、底板１２の後端部１２ａに立設された背面板１５とを備えている。
底板１２には、上述のように、凹部１３が形成されており、引出１０は、さらに、凹部１３左右両側の側縁部１３ａに沿って底板１２に立設された一対の凹部側方板１６と、凹部１３の前方側の前縁部１３ｂに沿って底板１２に立設された凹部前方板１７とを備えている。
【００１７】
凹部前方板１７は、その両端部が一対の凹部側方板１６の側面に連結されており、一対の凹部側方板１６を互いに繋いでいる。
なお、凹部１３は、排水トラップ２ａや排水管２ｂあるいはディスポーザ等の障害物を回避可能な大きさで形成されており、凹部１３に沿って立設される一対の凹部側方板１６及び凹部前方板１７も前記障害物を回避可能に設けられている。
【００１８】
また、一対の凹部側方板１６は、それぞれ、前端部を凹部１３の前縁部１３ｂよりも前方へ延ばすことで形成された延長部１６ａを有している。延長部１６ａの前端部は、前面板１１の背面１１ａに連結されており、この延長部１６ａは、一対の凹部側方板１６と前面板１１の背面１１ａとを連結する連結手段を構成している。
【００１９】
上記のように構成された引出１０によれば、凹部１３左右両側の側縁部１３ａに沿って立設された一対の凹部側方板１６と、前面板１１の背面１１ａとを連結する延長部１６ａとを備えているので、底板１２及びこの底板１２に立設された一対の凹部側方板１６がそれぞれ前面板１１に固定される。この前面板１１に固定された一対の凹部側方板１６によって、底板１２の前面板１１に対する上下方向への揺動が規制され、凹部１３が形成されることによる底板１２の剛性低下を防止することができる。この結果、引出１０全体としての剛性の低下を抑制することができる。
【００２０】
また本実施形態では、一対の凹部側方板１６を前面板１１まで延ばしその前端面を前面板１１の背面１１ａに連結した延長部１６ａによって連結手段を構成したので、一対の凹部側方板１６と前面板１１とを連結するために別部材を設ける必要がなく、簡易な構成で一対の凹部側方板１６と前面板１１とを連結することができる。
【００２１】
図３は、本発明の第二の実施形態に係る引出の斜視図である。本実施形態と上記第一の実施形態との相違点は、一対の凹部側方板１６が、それぞれ、凹部１３左右両側の側縁部１３ａの範囲で底板１２に立設されており延長部１６ａを有していない点、及び、一対の凹部側方板１６を互いに繋いでいる凹部前方板１７が、連結板１８によって前面板１１の背面１１ａに連結されている点である。その他の点については、第一の実施形態と同様である。
【００２２】
本実施形態において、一対の凹部側方板１６は、第一連結板としての凹部前方板１７と、第二連結板としての連結板１８とを介して、前面板１１の背面１１ａに連結されており、凹部前方板１７と、連結板１８とによって連結手段を構成している。
本実施形態では、凹部前方板１７と、連結板１８とによって一対の凹部側方板１６を前面板１１に連結しているので、一対の凹部側方板１６と前面板１１とを連結させる上での自由度が高い。つまり、本実施形態では、連結板１８を立設する位置を、ある程度左右方向に幅広く設定することが可能であり、その自由度が高い。
【００２３】
一対の凹部側方板１６と前面板１１の背面１１ａとを連結するには、連結板１８や、延長部１６ａといった連結するための部材を、引出１０の収納空間を仕切るように配置する必要があるが、本実施形態では、立設位置が左右方向に幅広く設定可能な自由度の高い連結板１８のみが収納空間を仕切っているので、より収納空間を有効に利用することができる。
【００２４】
図４は、本発明の第三の実施形態に係る引出の斜視図である。本実施形態と上記第一の実施形態との相違点は、一対の凹部側方板１６が、それぞれ、凹部１３の側縁部１３ａの範囲で底板１２に立設されており延長部１６ａを有していない点、及び、一対の凹部側方板１６及び凹部前方板１７が、これらと前面板１１との間に介在する箱体２０によって、前面板１１の背面１１ａに連結されている点である。その他の点については、第一の実施形態と同様である。
【００２５】
箱体２０は、上面に開口部を有する、ほぼ直方体に形成された部材であり、内部は小物類等を収納するための収納空間とされている。箱体２０は、その背面２０ａに一対の凹部側方板１６及び凹部前方板１７が固定され、前面２０ｂに前面板１１の背面１１ａが固定されている。これによって、箱体２０は、一対の凹部側方板１６と前面板１１とを連結する連結手段を構成している。
【００２６】
本実施形態では、箱体２０が、一対の凹部側方板１６と、前面板１１とを連結しているので、底板１２及び一対の凹部側方板１６の前面板１１に対する上下方向への揺動がより強固に規制され、底板１２の剛性低下をより効果的に防止することができる。この結果、引出１０全体の剛性低下をより効果的に防止することができる。
また、本実施形態では、一対の凹部側方板１６が、これらを繋ぐ凹部前方板１７とともに箱体２０に連結固定されているので、一対の凹部側方板１６を箱体２０に対して強固に固定することができる。
【００２７】
なお、本発明は上記実施形態に限定されるものではない。上記第一の実施形態では、一対の凹部側方板１６を互いに繋ぐ凹部前方板１７を設けたが、一対の凹部側方板１６を延長部１６ａによって前面板１１に連結すれば、底板１２の剛性を高めることができるので、例えば、図５に示すように、凹部前方板１７を省略する構成とすることもできる。
また、図５に示すように、延長部１６ａの前端部を繋ぎつつ延長部１６ａとともに前面板１１の背面１１ａに固定される固定板２１を設けてもよい。この固定板２１によって、一対の凹部側方板１６の延長部１６ａをより強固に前面板１１に連結固定することができる。
さらに、図６に示すように、底板１２の凹部１３の前縁部１３ｂを固定板２１の背面２１ａと面一とすることもできる。この場合第一キャビネット３内部に配置される障害物が前後方向に大きいものである場合であっても確実に回避できる。
【００２８】
また、図７に示すように、凹部前方板１７及び上記固定板２１の両方を設けてもよい。この場合、一対の凹部側方板１６は、凹部前方板１７及び上記固定板２１によって互いに繋がれることとなり、底板１２及び一対の凹部側方板１６の前面板１１に対する上下方向への揺動がより強固に規制される。この結果、底板１２全体の剛性低下をより効果的に防止することができる。
【００２９】
また、上記第二の実施形態では、箱体２０の背面２０ａに一対の凹部側方板１６を固定し、前面２０ｂに前面板１１を固定することで、一対の凹部側方板１６と前面板１１とを連結したが、図８に示すように、一対の凹部側方板１６は、箱体２０の側面２０ｃに固定してもよいし、図９に示すように、一対の凹部側方板１６と、箱体２０とを一体的に形成してもよい。
【００３０】
また、連結手段として、図１０に示すように、前端部が凹部前方板１７によって繋がれた一対の凹部側方板１６それぞれを前面板１１の背面１１ａに連結するＬ型の金具２２を用いることもできるし、図１１、図１２に示すように、連結手段としての棒状部材２３を一対の凹部側方板１６の前端部又は側面部に固定し、この棒状部材２３の前端部を前面板１１の背面１１ａに固定することで、一対の凹部側方板１６それぞれを前面板１１に連結することもできる。
【図面の簡単な説明】
【００３１】
【図１】システムキッチンを示す斜視図である。
【図２】本発明の第一の実施形態に係る引出を示す斜視図である。
【図３】本発明の第二の実施形態に係る引出の斜視図である。
【図４】本発明の第三の実施形態に係る引出の斜視図である。
【図５】第一の実施形態に係る引出の他の態様を示す斜視図である。
【図６】第一の実施形態に係る引出の図５に示すものとは異なる他の態様を示す斜視図である。
【図７】第一の実施形態に係る引出の図５、図６に示すものとは異なる他の態様を示す斜視図である。
【図８】第三の実施形態に係る引出の他の態様を示す斜視図である。
【図９】第三の実施形態に係る引出の図８とは異なる他の態様を示す斜視図である。
【図１０】第三の実施形態に係る引出の図８とは異なる他の態様を示す斜視図である。
【図１１】一対の凹部側方板と前面板とを金具で連結した引出を示す斜視図である。
【図１２】一対の凹部側方板と前面板とを棒状部材で連結した引出を示す斜視図である。
【符号の説明】
【００３２】
１      システムキッチン
３      第一キャビネット
３ａ    開口
１０    引出
１１    前面板
１１ａ  背面
１２    底板
１２ａ  後端部
１３    凹部
１３ａ  側縁部
１３ｂ  前縁部
１４    側面板
１６    凹部側方板
１６ａ  延長部（連結手段）
１７    凹部前方板（第一連結板）
１８    連結板（第二連結板）
２０    箱体
２２    金具（連結手段）
２３    棒状部材（連結手段）
【図１】
2010148568.tif 000003
【図２】
2010148568.tif 000004
【図３】
2010148568.tif 000005
【図４】
2010148568.tif 000006
【図５】
2010148568.tif 000007
【図６】
2010148568.tif 000008
【図７】
2010148568.tif 000009
【図８】
2010148568.tif 000010
【図９】
2010148568.tif 000011
【図１０】
2010148568.tif 000012
【図１１】
2010148568.tif 000013
【図１２】
2010148568.tif 000014